(57)【要約】【課題】  見学者に面内方向に揺動可能な外壁パネル間に充填される目地材に荷重が加わる仕組みを理解させることができ、目地材の性能の重要性を示すことができる展示装置を提供する。【解決手段】展示装置１は、面内方向に揺動可能な外壁パネルの間に充填される目地材に加わる荷重を説明する展示装置１であって、壁面２に固定される固定板３と、互いに平行な縦目地間隔を開けて配置されるとともに、面内方向に揺動可能に前記固定板３に固定される一対の模擬壁パネル４と、前記一対の模擬壁パネル４の間に配置され、幅方向の両端部のそれぞれ少なくとも上下２箇所以上が、両側の前記模擬壁パネル４に固定される弾性変形可能な模擬目地材５と、前記一対の模擬壁パネル４を連動させつつ揺動させる操作部６と、を備える。【選択図】図１
2020060729.tif 000002
【特許請求の範囲】
【請求項１】
面内方向に揺動可能な外壁パネルの間に充填される目地材に加わる荷重を説明する展示装置であって、
壁面に固定される固定板と、
互いに平行な目地間隔を開けて配置されるとともに、面内方向に揺動可能に前記固定板に固定される一対の模擬壁パネルと、
前記一対の模擬壁パネルの間に配置され、幅方向の両端部のそれぞれ少なくとも上下２箇所以上が、両側の前記模擬壁パネルに固定される弾性変形可能な模擬目地材と、
前記一対の模擬壁パネルを連動させつつ揺動させる操作部と、
を備えることを特徴とする展示装置。
【請求項２】
前記一対の模擬壁パネルは、前記操作部に荷重が加わっていないときに前記模擬目地材側の端縁が鉛直となる姿勢で安定することを特徴とする請求項１に記載の展示装置。
【請求項３】
前記一対の模擬壁パネルが安定した状態のときに、前記一対の模擬壁パネルのそれぞれ同じ高さとなる位置から前記模擬目地材側に突出して固定されており、当該一対の模擬壁パネルの対向する端縁同士の相対的な高さ変化を表示する表示部が設けられることを特徴とする請求項２に記載の展示装置。
【発明の詳細な説明】
【技術分野】
【０００１】
本発明は、外壁目地材に外力が加わる状態を再現する展示装置に関する。
【背景技術】
【０００２】
従来より住宅等の建物の外壁として、外装パネルを例えばロッキング式カーテンウォール工法などと呼ばれる、面内方向に揺動可能な状態で躯体に固定しておく工法が知られている。このような工法を用いると、外壁パネルが揺動することで、地震などの水平荷重を受け流すことができ、外壁パネルの損傷を防止することができる。
【０００３】
そして、上述のような工法の優位性を住宅などの購入予定者に実感させるために、複数枚の模擬外壁パネルを上下の梁に揺動可能に保持させて、上側の梁を往復運動させることで、模擬外壁パネルが揺動して荷重を受け流し、模擬外壁パネルに荷重が集中しないことを説明することができる装置が提案されている（特許文献１）。
【０００４】
また、目地材の性能を体験する装置として複数の外壁片の間に目地材を設けて、外壁片同士を離反する方向に引き離して、目地材を引き伸ばす装置が提案されている（特許文献２）。この装置は、目地材の引っ張り方向の強さを体感することができ、目地材の性能を印象付けることができる。
【先行技術文献】
【特許文献】
【０００５】
【特許文献１】特開２００２−２２１９０７号公報
【特許文献２】特開２００３−２３２０９１号公報
【発明の概要】
【発明が解決しようとする課題】
【０００６】
ところで特許文献１のような装置は、外壁パネルが揺動することで、水平荷重を受け流す点は説明されているが、外壁パネルの揺動によって外壁パネル間の目地材に加わる荷重についてはなんら説明されていない。また、特許文献２のような装置は目地材に引っ張り荷重が加わった場合に目地材がどの程度追従して伸びるかについては説明されているが、具体的にどのような場合に目地材に荷重が加わるかについては説明されていない。
【０００７】
そこで、本発明は見学者に面内方向に揺動可能な外壁パネル間に充填される目地材に荷重が加わる仕組みを理解させることができ、目地材の性能の重要性を示すことができる展示装置を提供することを目的とする。
【課題を解決するための手段】
【０００８】
本発明の展示装置は、面内方向に揺動可能な外壁パネルの間に充填される目地材に加わる荷重を説明する展示装置であって、壁面に固定される固定板と、互いに平行な縦目地間隔を開けて配置されるとともに、面内方向に揺動可能に前記固定板に固定される一対の模擬壁パネルと、前記一対の模擬壁パネルの間に配置され、幅方向の両端部のそれぞれ少なくとも上下２箇所以上が、両側の前記模擬壁パネルに固定される弾性変形可能な模擬目地材と、前記一対の模擬壁パネルを連動させつつ揺動させる操作部と、を備えることを特徴としている。
【０００９】
本発明の展示装置は、前記一対の模擬壁パネルは、前記操作部に荷重が加わっていないときに前記模擬目地材側の端縁が鉛直となる姿勢で安定することを特徴としている。
【００１０】
本発明の展示装置は、前記一対の模擬壁パネルが安定した状態のときに、前記一対の模擬壁パネルのそれぞれ同じ高さとなる位置から前記模擬目地材側に突出して固定されており、当該一対の模擬壁パネルの対向する端縁同士の相対的な高さ変化を表示する表示部が設けられることを特徴としている。
【発明の効果】
【００１１】
本発明の展示装置によると、一対の模擬壁パネルが固定板に揺動可能に固定されており、一対の模擬壁パネルの間に弾性変形可能な模擬目地材が固定されており、操作部が一対の模擬壁パネルを連動させつつ揺動させるので、操作部を操作することで一対の模擬壁パネルに水平荷重が加わった場合の動きを再現させることができ、模擬壁パネルの揺動に伴って模擬目地材にどのような荷重が加わるかを見学者に示すことができる。
【００１２】
本発明の展示装置によると、一対の模擬壁パネルは、操作部に荷重が加わっていないときに模擬目地材側の端縁が鉛直となる姿勢で安定するので、地震などで水平荷重が加わった場合にのみ外壁パネルが揺動することを理解することができ、地震などの場合に目地材に大きな力が加わることを見学者に示すことができる。
【００１３】
本発明の展示装置によると、一対の模擬壁パネルのそれぞれ同じ高さとなる位置から模擬目地材側に突出して固定されており、当該一対の模擬壁パネルの対向する端縁同士の相対的な高さ変化を表示する表示部が設けられているので、一対の模擬壁パネルが揺動したときに、模擬壁パネルの対向する端縁の間にある目地材にどのような方向の荷重が加わるかを見学者にわかりやすく示すことができる。
【図面の簡単な説明】
【００１４】
【図１】展示装置の外観形状を説明する斜視図であり、（Ａ）は外力がくっわっていない状態の展示装置を示し、（Ｂ）は操作部に引張方向の荷重が加わった状態の展示装置を示し、（Ｃ）は操作部に押込方向の荷重が加わった状態の展示装置を示す図。
【図２】展示装置の内部構造を示す断面図。
【図３】展示措置の内部構造を説明する正面図。
【図４】（Ａ）は、図３の操作部に引張方向の荷重が加わった状態の展示装置を示し、（Ｂ）は操作部に押込方向の荷重が加わった状態の展示装置を示す図。
【図５】展示装置が目地材を説明する各種の展示物とともに展示されている状態を説明する図。
【発明を実施するための形態】
【００１５】
以下、本発明に係る展示装置１の実施形態に付いて各図を参照しつつ説明する。展示装置１は、たとえば住宅購入予定者や住宅改修予定者に住宅の各部の性能の違いによる住宅の居住性の変化を体験させ、または、経年劣化による住宅の性能低下が住宅の居住性や寿命に及ぼす影響を理解させるための展示施設に設置される展示装置１である。本実施形態における展示装置１は、主として住宅改修予定者に住宅のメンテナンスの必要性や改修による居住性の向上について説明する施設に設置されており、本展示装置１のほかに、図示しないが、例えば、外壁塗装や屋根、開口部などのリフォーム工法を展示している。
【００１６】
展示装置１は、図１から図３に示すように、壁面２に固定される矩形平板状の固定板３と、固定板３に揺動自在に固定される一対の模擬壁パネル４と、一対の模擬壁パネル４の間に固定される模擬目地材５と、一対の模擬壁パネル４を揺動操作可能な操作部６とを備えている。固定板３は、展示施設の壁面２に図示しないビスで固定されている。なお、固定板３の固定方法はビスに限られるものではなく、例えば、受け金物やフック金物などの金物を介して固定されるものであっても良い。固定板３は幅方向の中央に鉛直方向に延びる、一対の模擬壁パネル４の間の目地の幅と略等しい幅の目地を模した色彩や模様を印刷した目地表示部７が設けられており、当該目地表示部７の両側には外壁の色彩や模様を模した外壁表示部８が形成されている。
【００１７】
一対の模擬壁パネル４は、図２に示すように、表面板９、裏面板１０、上板１１、及び下板１２を有する中空の矩形の平板であり固定板３に対して平行に配置されており、且つ、二枚の模擬壁パネル４が互いに平行な縦目地間隔を開けて配置されている。模擬壁パネル４は例えば合成樹脂製で、表面板９の外側には外壁を模した色彩や模様が印刷されたシートが貼付されている。なお、模擬壁パネル４の表面形状は本実施形態においては平らであるが、模擬壁パネル４をより実際の外壁に近づけるために、例えば外壁表面の凹凸などを再現してもよい。模擬壁パネル４は裏面板１０の中央に固定板３から突出する回転軸１３に揺動可能に固定されている。一対の模擬壁パネル４の互いに対向する面は開口しており、模擬目地材５の幅方向の端部が挿入されている。
【００１８】
模擬目地材５は、低反発ウレタンフォームで板状に形成されている。模擬目地材５の材質は模擬壁パネル４の揺動に従って変形することができる弾性を有するものであれば、低反発ウレタンフォームに限定されるものではない。模擬目地材５の幅方向の両端部はそれぞれ模擬目地材５の対向する開口に挿入されており、模擬目地材５の両端部のそれぞれ上端及び下端に近い位置で模擬壁パネル４の裏面板１０にハトメ金具１４によって固定されている。
【００１９】
一対の模擬壁パネル４は互いに模擬目地材５によって連結されることとなり、外力が加わっていない状態のときには、模擬目地材５が弾性変形していない状態に維持されるため、一対の模擬壁パネル４は互いに平行で、目地の幅方向の両端が鉛直方向を向いた姿勢で安定する。一対の模擬壁パネル４の表面板９の外側には、それぞれ表示部１５が固定されている。表示部１５は、正面から見て模擬目地材５側にそれぞれ突出して形成されており、その先端がそれぞれ尖った小板片である。一対の模擬壁パネル４の間の目地が鉛直方向を向いて安定した状態のときに、それぞれの模擬壁パネル４に固定される表示部１５同士が同じ高さとなるように配置されており、模擬壁パネル４の揺動によって２つの模擬壁パネル４の表示部１５同士が相互に上下方向にズレることで、模擬目地材５が弾性変形していることを見学者に容易に認識させることができる。
【００２０】
操作部６は、一対の模擬壁パネル４と固定板３との間に挿入されてそれぞれの模擬壁パネル４の裏面板１０に設けられた軸部１６に回転可能に固定された長尺材であり、一方の模擬壁パネル４の目地と反対側の側面から展示装置１の側方に水平に突き出している。操作部６の側方に突き出した部分には、中央に穴が設けられた四角形状に形成されて見学者が操作部６を操作する際に把持するハンドル１７となっている。操作部６には水平方向に向かう両矢印１８が表示されており、見学者が操作部６を押し引きするように促している。
【００２１】
操作部６と模擬壁パネル４とを回転可能に固定する軸部１６は、それぞれの模擬壁パネル４の回転軸１３の鉛直な下方に形成されており、それぞれの回転軸１３から軸部１６までの距離が等しく形成されることで、模擬壁パネル４の揺動があっても操作部６が常に水平に保たれる。
【００２２】
図１（Ａ）及び図３に示すように、一対の模擬壁パネル４の間の目地が鉛直方向を向いて安定した状態のときに、見学者が操作部６のハンドル１７を引く方向に操作すると、図１（Ｂ）及び図４（Ａ）に示すように、操作部６と模擬壁パネル４とを接続している軸部１６が操作部６とともにハンドル１７を引いた方向に移動し、模擬壁パネル４が回転軸１３に対して揺動することで、一対の模擬壁パネル４が互いに連動して傾く。そして、模擬壁パネル４の間に形成された目地も斜めに傾いて、模擬目地材５が弾性変形することとなる。このとき、一対の模擬壁パネル４の表示部１５が互いにずれることとなり、模擬壁パネル４の間の模擬目地材５にどのような方向の荷重が加わるかを見学者にわかりやすく示すことができる。
【００２３】
そして、模擬目地材５は模擬壁パネル４の揺動に従って弾性変形することができる柔軟性を有しているので、模擬壁パネル４の間の目地の変形を模擬目地材５が吸収することで模擬目地材５の水密性が失われることが無く、目地の防水性が保たれることを見学者に説明できる。言い換えれば経年劣化などによって目地材の柔軟性が失われれば、模擬壁パネル４の揺動に目地材が追従できなくなることとなり、目地の防水性が保たれなくなることを見学者にわかりやすく示すことができる。
【００２４】
一方、図１（Ａ）及び図３に示すように、一対の模擬壁パネル４の間の目地が鉛直方向を向いて安定した状態のときに、見学者が操作部６のハンドル１７を押す方向に操作すると、図１（Ｃ）及び図４（Ｂ）に示すように、操作部６と模擬壁パネル４とを接続している軸部１６が操作部６とともにハンドル１７を押した方向に移動し、模擬壁パネル４が回転軸１３に対して揺動することで、一対の模擬壁パネル４が互いに連動して傾き、模擬壁パネル４の間に形成された目地も斜めに傾いて、模擬目地材５が弾性変形する。
【００２５】
このように本実施形態の展示装置１は、見学者が操作部６を手動操作することで、一対の模擬壁パネル４を揺動させることができ、擬似的に面内方向に揺動可能な外壁パネルに地震などによって水平荷重が加わった状態を再現することができる。特に、見学者が手動操作することで模擬壁パネル４を揺動させているので、見学者は外壁パネルに水平荷重が加わった状態を再現したものであることを直感的に認識することができる。
【００２６】
なお、本実施形態の展示装置１の周辺には、図５に示すように、例えば、展示装置１の横に、映像で面内方向に揺動可能な外壁パネルを用いる工法の説明を行うディスプレイ１９が設けられている。また、展示装置１の下に、改修前の目地の経年劣化した状態を説明する写真や説明図、目地材の伸縮性を実験した写真、改修前の古い仕様の目地を説明する断面図などが記載されたパネル２０が配置されている。また、その下には、湿式と乾式の目地材を説明する模型２１や実際に経年劣化した目地材の見本２２などが配置されている。
【００２７】
このように展示装置１とともに、目地材の劣化や目地材の仕組みを説明することで、目地材の定期的なメンテナンスの必要性を見学者に認識させることができる。
【００２８】
本発明の実施の形態は上述の形態に限ることなく、本発明の思想の範囲を逸脱しない範囲で適宜変更することができることは云うまでもない。
【産業上の利用可能性】
【００２９】
本発明に係る展示装置１は、住宅の改修を検討中の人に、目地材のメンテナンスの必要性を説明する施設に設置される展示装置１として好適である。
【符号の説明】
【００３０】
１      展示装置
２      壁面
３      固定板
４      模擬壁パネル
５      模擬目地材
６      操作部
【図１】
2020060729.tif 000003
【図２】
2020060729.tif 000004
【図３】
2020060729.tif 000005
【図４】
2020060729.tif 000006
【図５】
2020060729.tif 000007